(57)【要約】  本発明は行方向配線と列方向配線の間のクロス容量が小さく、かつ指示体によりタッチしたときのクロス容量の変化が大きいタッチスクリーンの提供を目的とする。タッチスクリーン（１）において、行方向配線（２１）は、第１部分（Ｅ１）と、第１部分（Ｅ１）の配線幅（Ｗ１）よりも配線幅（Ｗ２）が小さい第２部分（Ｅ２）とから構成される。列方向配線（３１）の配線幅（Ｗｃ）は、第２部分（Ｅ２）の行方向の長さ（Ｍ２）よりも小さい。行方向配線（２１）と列方向配線（３１）は、第２部分（Ｅ２）において交差しており、交差部分において、行方向配線（２１）と列方向配線（３１）との間には平面視で間隙が形成される。タッチスクリーン（１）は当該間隙を平面視で埋めるフローティング配線（２１ａ）をさらに備え、フローティング配線（２１ａ）は行方向配線（２１）または列方向配線（３１）と同じ層に形成され、どちらの配線からも絶縁されている。
2014050306.tif 000002
【特許請求の範囲】
【請求項１】
行方向配線（２１）と列方向配線（３１）を含む上下２層からなるメッシュ状の配線パターンで覆われたタッチスクリーン（１）であって、
前記行方向配線（２１）は、第１部分（Ｅ１）と、当該第１部分（Ｅ１）の配線幅（Ｗ１）よりも配線幅（Ｗ２）が小さい第２部分（Ｅ２）とから構成され、
前記列方向配線（３１）の配線幅（Ｗｃ）は、前記行方向配線（２１）の前記第２部分（Ｅ２）の行方向の長さ（Ｍ２）よりも小さく、
前記行方向配線（２１）と前記列方向配線（３１）は、前記行方向配線（２１）の前記第２部分（Ｅ２）において交差しており、
前記行方向配線（２１）と前記列方向配線（３１）の交差部分において、前記行方向配線（２１）と前記列方向配線（３１）との間には平面視で間隙が形成されることを特徴とし、
当該間隙を平面視で埋めるフローティング配線（２１ａ）をさらに備え、
前記フローティング配線（２１ａ）は前記行方向配線（２１）または前記列方向配線（３１）と同じ層に形成され、
前記フローティング配線（２１ａ）は前記行方向配線（２１）および前記列方向配線（３１）から絶縁されていることを特徴とする、
タッチスクリーン。
【請求項２】
前記フローティング配線（２１ａ）は、前記フローティング配線（２１ａ）を分断する断線部（２１ｂ）を備え、
前記断線部（２１ｂ）は、前記フローティング配線（２１ａ）の長手方向に延びて形成されることを特徴とする、
請求項１に記載のタッチスクリーン。
【請求項３】
前記フローティング配線（２１ａ）は、周囲の配線から分断されることにより絶縁されており、
前記分断されている部分および前記断線部（２１ｂ）を平面視で埋める断線部配線（３２）をさらに備え、
前記断線部配線（３２）は、前記フローティング配線（２１ａ）が形成されていない層に形成されることを特徴とする、
請求項２に記載のタッチスクリーン。
【請求項４】
前記行方向配線（２１）のメッシュと前記列方向配線（３１）のメッシュが、平面視で相補的にずれて配置されることを特徴とする、
請求項１に記載のタッチスクリーン。
【請求項５】
前記フローティング配線（２１ａ）は前記行方向配線（２１）と同じ層に形成され、
平面視で前記列方向配線（３１）と同じ領域内に、前記行方向配線（２１）と同じ層に形成される前記メッシュ状の列方向ダミー配線（２２）と、
平面視で前記行方向配線（２１）および前記フローティング配線（２１ａ）と同じ領域内に、前記列方向配線（３１）と同じ層に形成される前記メッシュ状の行方向ダミー配線（３３）と、
をさらに備え、
前記列方向配線（３１）のメッシュと前記列方向ダミー配線（２２）のメッシュが、平面視で相補的にずれて配置され、
前記行方向配線（２１）のメッシュと前記行方向ダミー配線（３３）のメッシュが、平面視で相補的にずれて配置されることを特徴とする、
請求項４に記載のタッチスクリーン。
【請求項６】
前記メッシュ状の配線は、単位パターンの繰り返しで構成されることを特徴とする、
請求項１に記載のタッチスクリーン。
【請求項７】
前記単位パターンは、少なくとも一部に円弧状の配線を含むことを特徴とする、
請求項６に記載のタッチスクリーン。
【請求項８】
前記単位パターンは、全ての配線が円弧状の配線により形成されることを特徴とする、
請求項６に記載のタッチスクリーン。
【請求項９】
前記単位パターンは、互いに交差するＳ字状の配線と、前記Ｓ字状配線の交差点を中心とした円状の配線と、を備えることを特徴とする、
請求項６に記載のタッチスクリーン。
【発明の詳細な説明】
【技術分野】
【０００１】
本発明はタッチスクリーンに関する。
【背景技術】
【０００２】
タッチパネルは、指などによるタッチを検出して、タッチされた位置の位置座標を特定する装置である。タッチパネルは、優れたユーザーインターフェース手段の１つとして注目されている。抵抗膜方式、静電容量方式などの種々の方式のタッチパネルが製品化されている。【０００３】
一般に、タッチパネルは、タッチセンサが内蔵されるタッチスクリーンと、タッチスクリーンからの信号に基づいてタッチされた位置座標を特定する検出装置とから構成される。【０００４】
静電容量方式のタッチパネルの１つとして、投射型静電容量（Ｐｒｏｊｅｃｔｅｄ  Ｃａｐａｃｉｔｉｖｅ）方式のタッチパネルがある（例えば特許文献１参照）。【０００５】
投射型静電容量方式のタッチパネルは、タッチセンサが内蔵されるタッチスクリーンの前面側を、厚さが数ｍｍ程度のガラス板などの保護板で覆った場合でも、タッチの検出が可能である。【０００６】
この方式のタッチパネルは、保護板を前面に配置できるので堅牢性に優れる。また、手袋装着時でもタッチの検出が可能である。また、可動部を有さないので長寿命である。【０００７】
投射型静電容量方式のタッチパネルは、一般に、第１電極を構成する、行方向に延びて設けられる複数の行方向配線と、第２電極を構成する、列方向に延びて設けられる複数の列方向配線を備える。行方向配線と列方向配線の間の電界変化、即ち行方向配線と列方向配線の配線間容量（以下、単に配線間容量と呼ぶ）の変化を検出することで、タッチされた位置座標を特定する。この検出方式は、一般に相互容量検出方式と呼ばれる（例えば特許文献２参照）。【０００８】
また、タッチスクリーンを表示装置に装着した場合、タッチスクリーンに備わる行方向配線および列方向配線により、表示装置の表示エリアが覆われる。配線の配置に応じて、表示光の透過が不均一となったり、外光の反射率が不均一となるため、モアレ現象が発生したり、配線が視認されるなどすることがあった。ユーザに高品質な映像を提供するためには、配線が視認されにくいなど、ユーザにタッチスクリーンの存在を感じさせにくいタッチスクリーンがより好ましい。
【先行技術文献】
【特許文献】
【０００９】
【特許文献１】特開２０１２−１０３７６１号公報
【特許文献２】特表２００３−５２６８３１号公報
【発明の概要】
【発明が解決しようとする課題】
【００１０】
上述の投射型静電容量方式のタッチパネルは、第１電極と第２電極との電界結合が大きい場合、指などの指示体でタッチしたときに、配線間容量の変化が生じにくく、検出感度を大きくとれない問題があった。検出感度を小さくすると、誤検出が起こりやすくなる。【００１１】
本発明は以上の課題を解決するためになされたものであり、行方向配線と列方向配線の間の配線間容量が小さく、かつ指示体によりタッチしたときの配線間容量の変化が大きいタッチスクリーンの提供を目的とする。また、視認性を向上させたタッチスクリーンの提供を副次的な目的とする。
【課題を解決するための手段】
【００１２】
本発明に係るタッチスクリーンは、行方向配線と列方向配線を含む上下２層からなるメッシュ状の配線パターンで覆われたタッチスクリーンであって、行方向配線は、第１部分と、当該第１部分の配線幅よりも配線幅が小さい第２部分とから構成され、列方向配線の配線幅は、行方向配線の第２部分の行方向の長さよりも小さく、行方向配線と列方向配線は、行方向配線の前記第２部分において交差しており、行方向配線と列方向配線の交差部分において、行方向配線と列方向配線との間には平面視で間隙が形成されることを特徴とし、当該間隙を平面視で埋めるフローティング配線をさらに備え、フローティング配線は行方向配線または列方向配線と同じ層に形成され、フローティング配線は行方向配線および列方向配線から絶縁されていることを特徴とする。
【発明の効果】
【００１３】
本発明によれば、フローティング配線を設けることにより、視認性を低下させることなく、行方向配線と列方向配線の間にフローティング配線の幅だけ間隔を設けることが可能である。よって、フローティング配線を設けることにより、行方向配線と列方向配線の間の配線間容量を低減させることが可能である。また、さらに、タッチスクリーンをタッチした際の配線間容量の変化量を増大させることが可能である。よって、フローティング配線を設けない場合と比較して、タッチ検出感度を高めることができる。【００１４】
この発明の目的、特徴、局面、および利点は、以下の詳細な説明と添付図面とによってより明白となる。
【図面の簡単な説明】
【００１５】
【図１】実施の形態１に係るタッチスクリーンの斜視図である。
【図２】実施の形態１に係るタッチスクリーンの平面図である。
【図３】実施の形態１に係るタッチスクリーンの下部電極の平面図である。
【図４】図３における領域Ａの拡大図である。
【図５】実施の形態１に係るタッチスクリーンの上部電極の平面図である。
【図６】実施の形態１に係るタッチスクリーンの下部電極および上部電極の平面図である。
【図７】検出感度とフローティング配線幅の関係を示す図である。
【図８】フローティング配線を備えないタッチスクリーンの下部電極および上部電極の平面図である。
【図９】最適フローティング配線幅と透明基板の厚さの関係を示す図である。
【図１０】フローティング配線の断線部と配線間容量の相対値の関係を示す図である。
【図１１】実施の形態２に係るタッチスクリーンの下部電極の平面図である。
【図１２】図１１における領域Ｂの拡大図である。
【図１３】実施の形態２に係るタッチスクリーンの上部電極の平面図である。
【図１４】図１３における領域Ｃの拡大図である。
【図１５】実施の形態２に係るタッチスクリーンの下部電極および上部電極の平面図である。
【図１６】実施の形態３に係るタッチスクリーンにおける配線の単位パターンを示す図である。
【図１７】実施の形態３に係るタッチスクリーンの下部電極の平面図である。
【図１８】図１７における領域Ｄの拡大図である。
【図１９】実施の形態３に係るタッチスクリーンの上部電極の平面図である。
【図２０】図１９における領域Ｅの拡大図である。
【図２１】実施の形態３に係るタッチスクリーンの下部電極および上部電極の平面図である。
【発明を実施するための形態】
【００１６】
＜実施の形態１＞
＜構成＞
まず、図１および図２を用いて、本実施の形態のタッチスクリーン１の層構造について説明する。本実施の形態におけるタッチスクリーン１は、投影型静電容量方式のタッチスクリーンである。
【００１７】
図１は、本実施の形態のタッチスクリーン１の層構造の斜視図である。タッチスクリーン１の上面層は、透明なガラス材料または透明な樹脂からなる透明基板１０である。透明基板１０の裏面には、上部電極３０が形成される。
【００１８】
また、透明基板１０の裏面には、上部電極３０を被覆する様に、層間絶縁膜１１が形成される。層間絶縁膜１１は、シリコン窒化膜またはシリコン酸化膜等の透明な絶縁膜である。層間絶縁膜１１の裏面には、下部電極２０が形成される。
【００１９】
また、層間絶縁膜１１の裏面には、下部電極２０を被覆する様に、保護膜１２が形成される。保護膜１２は、保護膜１２は、層間絶縁膜１１と同様に、シリコン窒化膜などの透光性を有する絶縁性の膜である。
【００２０】
上部電極３０は、ＩＴＯ（Ｉｎｄｉｕｍ  Ｔｉｎ  Ｏｘｉｄｅ）等の透明配線材料もしくはアルミニウム等の金属配線材料からなる複数本の列方向配線３１を備える。また、下部電極２０は、列方向配線３１と同じ素材からなる複数本の行方向配線２１を備える。
【００２１】
なお、図１および図２において、図示の便宜上、列方向配線３１および行方向配線２１は、後述するメッシュ状の構造を有する様に図示されていない。
【００２２】
本実施の形態では、列方向配線３１および行方向配線２１を、アルミニウム系合金層とその窒化層の多層構造とした。これによって、配線抵抗を小さくでき、かつ検出可能エリアの光の透過率を向上させることができる。
【００２３】
また、列方向配線３１を行方向配線２１の上層に配置したが、これらの位置関係を逆にして、行方向配線２１を列方向配線３１の上層に配置してもよい。
【００２４】
使用者は、タッチスクリーン１の表面となる透明基板１０に指などの指示体でタッチして操作を行う。透明基板１０に指示体が触れると、透明基板１０下部の行方向配線２１と列方向配線３１との間の配線間容量が変化する。この容量変化を検出することで、検出可能エリア内のどの位置においてタッチされたかを特定することが可能である。
【００２５】
図２は、本実施の形態のタッチスクリーン１の平面図である。タッチスクリーン１の検出可能エリアは、横方向（行方向）に伸びる複数の行方向配線２１と、その手前側に平面視で重なり、縦方向（列方向）に伸びる複数の列方向配線３１から構成される。
【００２６】
行方向配線２１の各々は、引き出し線Ｒ１〜Ｒ６によって、外部の配線と接続するための端子８に接続される。また、列方向配線３１の各々も同様に、引き出し線Ｃ１〜Ｃ８によって、外部の配線と接続するための端子８に接続される。
【００２７】
引き出し線Ｒ４，Ｒ５は、検出可能エリアの外周に沿って配置される。また、引き出し線Ｒ３，Ｒ６は、検出可能エリアの外周に沿って配置され、引き出し線Ｒ４もしくは引き出し線Ｒ５に達してからは、引き出し線Ｒ４，Ｒ５に沿って配置される。このように、引き出し線Ｒ１〜Ｒ６は、検出可能エリアの外周側に詰めて配置される。また、引き出し線Ｃ１〜Ｃ８も同様に、端子８に近い引き出し線から順に、検出可能エリアの外周側に詰めて配置される。
【００２８】
このように、引き出し線Ｒ１〜Ｒ６，Ｃ１〜Ｃ８をなるべく検出可能エリアの外周側に詰めて配置することで、タッチスクリーン１が装着される表示装置と、引き出し配線間のフリンジ容量を抑制することができる。よって、このような引き出し配線の配置とすることで、タッチスクリーン１が装着される表示装置から発生する電磁ノイズが引き出し配線に与える影響を低減することができる。
【００２９】
また、列方向配線３１の引き出し線Ｃ８と、行方向配線２１の引き出し線Ｒ６が並走する部分おいては、引き出し配線間に、グランド等の基準電位が与えられたダミー引き出し配線４０が設けられる。
【００３０】
このようにダミー引き出し配線４０を設けることによって、引き出し線Ｃ８と引き出し線Ｒ６の間の配線間容量を大幅に低減できるため、この部分に指などの指示体のタッチがあった場合でも誤検出を防止することができる。
【００３１】
次に図３〜６を用いて、行方向配線２１および列方向配線３１の詳細な構造を説明する。図３は、行方向配線２１と列方向配線３１が平面視で重なる領域周辺を拡大した下部電極２０の平面図である。図４は、図３における領域Ａの拡大図である。また、図５は、行方向配線２１と列方向配線３１が平面視で重なる領域周辺を拡大した上部電極３０の平面図である。また、図６は、行方向配線２１と列方向配線３１が平面視で重なる領域の平面図である。なお、図３〜６において、横方向を行方向、縦方向を列方向とする。なお、図３〜６は、配線パターンを模式的に示すものであり、配線の太さや間隔は、実際とは異なる。
【００３２】
図３に示す様に、下部電極２０に備わる行方向配線２１は、メッシュ状の配線で形成される。メッシュ状の配線は、行方向から４５°傾いた方向に延在する導線と、行方向から反対方向に４５°傾いた方向に延在する導線の繰り返しで構成される。
【００３３】
図３において、行方向配線２１の中央部から列方向に延びる空白領域は、平面視で列方向配線３１が配置される領域である。また、図３の中央部分において、行方向配線２１のメッシュの間隔が大きくなっている領域は、列方向配線３１と平面視で重なる領域である。
【００３４】
本実施の形態において、行方向配線２１は、列方向配線３１との交差部分において、線幅が狭くなっている。図３に示す様に、行方向配線２１は、第１部分Ｅ１と第２部分Ｅ２とから構成される。第２部分Ｅ２の配線幅Ｗ２は、第１部分の配線幅Ｗ１よりも小さい。また、図５に示す列方向配線３１の配線幅Ｗｃは、行方向配線２１の第２部分Ｅ２の行方向の長さＭ２よりも小さい。図６に示すように、行方向配線２１と列方向配線３１とは、行方向配線２１の第２部分Ｅ２の中央付近において交差する。つまり、行方向配線２１と列方向配線３１との交差部分において、行方向配線２１と列方向配線３１との間には、平面視で、行方向の幅Ｌの間隙が形成される。この間隙を平面視で埋めるように、下部電極２０はフローティング配線２１ａをさらに備える。
【００３５】
フローティング配線２１ａは、行方向配線２１と同様のメッシュ状の配線で形成される。フローティング配線２１ａは、断線部２１ｃにより、同じ層に形成される行方向配線２１から分断されて絶縁されている。また、フローティング配線２１ａは、異なる層（上部電極３０）に形成される列方向配線３１からも絶縁されている。
【００３６】
フローティング配線２１ａは、フローティング配線２１ａを分断する断線部２１ｂを備える。断線部２１ｂは、長手方向、即ち列方向に延びて形成される。
【００３７】
図４に、図３における領域Ａの拡大図を示す。断線部２１ｃにより、行方向配線２１とフローティング配線２１ａが断線されている。また、断線部２１ｂにより、フローティング配線２１ａが長手方向、即ち列方向に分断されて、断線されている。
【００３８】
このように、行方向配線２１と列方向配線３１の交差部分において、列方向配線３１の配線幅Ｗｃを、行方向配線２１の第２部分Ｅ２の行方向の長さＭ２よりも小さくすることによって、行方向配線２１と列方向配線３１とは、フローティング配線２１ａの行方向の幅Ｌだけ平面視で隔てられる。
【００３９】
図５に示す様に、上部電極３０は、列方向配線３１と、断線部配線３２とで構成される。列方向配線３１は、行方向配線２１と同様のメッシュ状の配線で形成され、配線幅Ｗｃで列方向に延在している。図５において、列方向配線３１のメッシュ間隔が大きい領域は、行方向配線２１と平面視で重なる領域である。
【００４０】
そして、図３で説明した行方向配線２１と、図５で説明した列方向配線３１とは、行方向配線２１の第２部分Ｅ２の中央付近において交差する（図６）。さらに、列方向配線３１の配線幅Ｗｃは、行方向配線２１の第２部分Ｅ２の行方向の長さＭ２よりも小さい。図６に示すように、行方向配線２１と列方向配線の交差部分において、行方向配線２１と列方向配線との間には、行方向の幅Ｌの間隙が形成される。この間隙にフローティング配線２１ａが形成される。
【００４１】
また、図５において、断線部配線３２は、図４における断線部２１ｂ，２１ｃを平面視で埋めるように形成されている。断線部配線３２を設けることによって、断線部２１ｂ，２１ｃを表示光が透過して、断線部２１ｂ，２１ｃ目視されることを防止することができる。
【００４２】
図６に、行方向配線２１と列方向配線３１が平面視で重なる領域周辺を示す。図６において、図の見易さのために、断線部配線３２は図示していない。
【００４３】
行方向配線２１と列方向配線３１が平面視で重なる領域において、行方向配線２１および列方向配線３１のメッシュ間隔は、他の部分の２倍の間隔となっている。行方向配線２１と列方向配線３１が平面視で重なる部分においては、行方向配線２１のメッシュと列方向配線３１のメッシュは相補的にずれて重なっている。行方向、列方向のメッシュのずれる間隔は、それぞれＰ１、Ｐ２である。
【００４４】
このように、行方向配線２１と列方向配線３１が平面視で重なる領域におけるメッシュ間隔を、他の配線部分のメッシュ間隔と等しくすることによって、行方向配線２１と列方向配線３１が交差する部分の外光の反射率を均一化して、目視されることを抑制することができる。
【００４５】
ここで、本実施の形態におけるタッチスクリーンに相互容量検出方式を適用する場合、例えば、行方向配線２１を駆動電極、列方向配線３１を受信電極として、行方向配線２１と列方向配線の配線間容量（相互容量）を電荷量として検出する。
【００４６】
このとき、受信（検出）電極である列方向配線３１を定電位とした状態で、駆動電極である行方向配線２１に駆動パルス電圧を印加して、行方向配線２１と列方向配線３１の間の配線間容量を充電した後、この充電電荷を列方向配線３１に接続された電荷検出回路にて検出する。この充電、電荷検出という一連の動作を行方向配線２１のそれぞれにわたり順次行う。
【００４７】
ここで、指示体操作面とは反対の面おいてタッチスクリーンと組み合わせられる表示パネルから、タッチスクリーンが受けるノイズについて考える。
【００４８】
列方向配線３１から検出される電荷には、配線間容量の充電電荷以外にも、表示パネルと列方向配線３１との間の結合容量による電荷も含まれる。表示パネル表面の電圧は、その駆動に伴い変動するがタッチスクリーンの検出動作とは一般には非同期である。よって、表示パネルと列方向配線３１との結合容量に充電される電荷は、本来検出したい行方向配線２１と列方向配線３１の間の配線間容量に対する充電電荷にとってはノイズとなる。このため、このノイズ電荷を減らし、検出Ｓ／Ｎ比を向上させるためには、表示パネルと列方向配線３１との結合容量を減らすことが有効である。
【００４９】
ところが、図１のように、透明基板１０の片側に層間絶縁膜１１を挟んで、上部電極３０および下部電極２０を設ける場合、層間絶縁膜１１の厚さを数μｍ程度よりも厚くすることは製造上困難である。従って、行方向配線２１と列方向配線３１間の配線間容量を小さく抑えるためには、両配線の交差部分（平面視で重なる部分）の面積を小さくする必要がある。
【００５０】
このため、上部電極３０に備わる列方向配線３１全体を、下部電極２０に備わる行方向配線２１で覆うことができず、列方向配線３１が表示パネルに対して露出する部分が大きくなる。従って、表示パネルと列方向配線３１との結合容量を抑制して検出Ｓ／Ｎ比を向上させるためには、列方向配線３１の表示パネルに対する露出面積（表示パネルからのノイズ受信面積）を減らせばよい。これは、例えば、行方向配線３１の配線幅Ｗｃをより小さくすることで実現できる。
【００５１】
本実施の形態におけるタッチスクリーンにおいて、下部電極２０に備わる行方向配線２１は、第１部分Ｅ１と、第１部分Ｅ１の配線幅Ｗ１よりも配線幅Ｗ２の狭い第２部分Ｅ２から構成される。また、上部電極３０に備わる列方向配線３１の配線幅Ｗｃは、行方向配線２１の第２部分Ｅ２の行方向の長さＭ２よりも小さい。そして、行方向配線２１と列方向配線３１は、行方向配線２１の第２部分Ｅ２において交差している。
【００５２】
これにより、行方向配線２１と列方向配線３１の間の配線間容量を低減させ、透明基板１０をタッチした際の配線間容量の変化量を増大して、タッチ検出感度を向上するとともに、列方向配線３１の配線幅Ｗｃを小さくしてノイズ受信面積を低減することで、表示パネルから生じるノイズの影響を抑制することができる。
【００５３】
なお、本実施の形態では、行方向配線２１および列方向配線３１のメッシュを構成する導線の幅は３μｍであり、断線部の断線間隔は１０μｍである。また、本実施の形態では、透明基板１０の厚みは０．９ｍｍであり、フローティング配線２１ａの行方向の幅Ｌは８００μｍである。また、メッシュの行方向の間隔Ｐ１および列方向の間隔Ｐ２は、２００μｍである。
【００５４】
＜シミュレーション結果＞
フローティング配線２１ａを設けたことによる検出感度向上の効果について説明する。図７は、フローティング配線２１ａの行方向の幅（以下、フローティング配線幅Ｌと呼ぶ）と透明基板１０の厚みを変化させたときの検出感度をシミュレーションにより計算した結果である。
【００５５】
検出感度とは、指などの指示体が透明基板１０にタッチしたときの配線間容量の変化量と、タッチが無いときの配線間容量の比をとったものである。
【００５６】
図７の縦軸の検出感度相対値とは、透明基板１０の厚みを一定として、フローティング配線幅がゼロの場合の検出感度との比である。
【００５７】
なお、フローティング配線幅Ｌがゼロとは、図８に示す様に、行方向配線２１がフローティング部２１ａを備えない場合を意味する。
【００５８】
図７から、透明基板１０の厚みを一定とした場合、検出感度相対値は、フローティング配線幅Ｌに対してある値で最大値をとることがわかる。また、最大値を与えるフローティング配線幅Lは、透明基板１０の厚みにより異なることもわかる。
【００５９】
図９に、最大値を与えるフローティング配線幅Ｌを最適フローティング配線幅として、透明基板１０の厚みと、最適フローティング配線幅の関係を調べた結果を示す。透明基板１０の厚みに比例して最適フローティング配線幅が増大していることがわかる。
【００６０】
本実施の形態では、透明基板１０の厚みが０．９ｍｍ、フローティング配線幅Ｌが８００μｍである。よって、図７から、本実施の形態におけるタッチスクリーン１は、フローティング配線２１ａを備えない場合と比較して、検出感度が２倍程度高まっていることがわかる。フローティング配線幅Ｌは、図９に基づいて決定するのが好ましい。
【００６１】
図１０に、フローティング配線２１ａに備わる断線部２１ｂが延びる方向および断線部２１ｂの個数と、配線間容量の関係を示す。なお、図１０における配線間容量の相対値とは、フローティング配線２１ａに断線部２１ｂを設けない場合の配線間容量との比である。
【００６２】
本実施の形態では、１本の断線部２１ｂが、フローティング配線２１ａの長手方向、即ち列方向に延びて設けられる。図１０から、フローティング配線２１ａに断線部２１ｂを設けない場合と比べて、本実施の形態は、配線間容量がおよそ半分に低減されていることがわかる。また、断線部２１ｂの本数を増やすと、配線間容量をより低減できることもわかる。
【００６３】
また、図１０から、断線部２１ｂをフローティング配線２１ａの短手方向、即ち行方向に延ばして設けた場合には、列方向に延ばして設けた場合と比較して、配線間容量を低減する効果が小さいことがわかる。よって、断線部２１ｂをフローティング配線２１ａの長手方向に延ばして設けるのが好ましい。
【００６４】
本実施の形態の様に、行方向配線２１および列方向配線３１をメッシュ状の配線とすることによって、少ない配線面積で、広い検出可能エリアを覆うことが可能である。また、行方向配線２１および列方向配線３１をメッシュ状の配線とすることによって、配線の寄生容量を低減し、モアレ現象の発生も抑えることができる。
【００６５】
ただし、行方向配線２１および列方向配線３１の材料、導線幅、メッシュ間隔は、本実施の形態に限定されるものではない。
【００６６】
行方向配線２１および列方向配線３１の材料としては、ＩＴＯやグラフェン等の透明導線性材料もしくは、アルミニウム、クロム、銅、銀等の金属材料を用いることができる。また、アルミニウム、クロム、銅、銀等の合金、または、これら合金上に窒化アルミニウム等を形成した多層構造としても良い。また、導線幅とメッシュ間隔も、タッチスクリーンの用途等に応じて、本実施の形態とは異なる値としても良い。
【００６７】
なお、本実施の形態では、断線部２１ｂの本数を１本としたが、さらに本数を増やすことも可能である。
【００６８】
また、本実施の形態では、フローティング配線２１ａが、下部電極２０として形成される構成、即ちフローティング配線２１ａが行方向配線２１と同じ層に形成される構成としたが、フローティング配線２１ａが、上部電極３０として形成されてもよい。この場合、フローティング配線２１ａは列方向配線３１と同じ層に形成される。この様な構成とした場合であっても、行方向配線２１と列方向配線３１の間に平面視で行方向に間隔を設けることが可能である。
【００６９】
本発明の効果を確認するために、本実施の形態におけるタッチスクリーン１と、図８に示す配線構造を持つタッチスクリーンのそれぞれに、相互容量型の検出回路を装着して指によるタッチ検出を行った。本実施の形態におけるタッチスクリーン１では、タッチ位置の座標が正しく検出された。一方、図８に示す配線構造を持つタッチスクリーンでは、配線間容量が大きいために、検出回路のダイナミックレンジを超えてしまい、タッチ位置の座標が正しく検出されなかった。
【００７０】
＜効果＞
本実施の形態におけるタッチスクリーン１は、行方向配線２１と列方向配線３１を含む上下２層からなるメッシュ状の配線パターンで覆われたタッチスクリーン１であって、行方向配線２１は、第１部分Ｅ１と、当該第１部分Ｅ１の配線幅よりも配線幅Ｗ２が小さい第２部分Ｅ２とから構成され、列方向配線３１の配線幅Ｗｃは、行方向配線２１の第２部分Ｅ２の行方向の長さＭ２よりも小さく、行方向配線２１と列方向配線３１は、行方向配線２１の第２部分Ｅ２において交差しており、行方向配線２１と列方向配線３１の交差部分において、行方向配線２１と列方向配線３１との間には平面視で間隙が形成されることを特徴とし、当該間隙を平面視で埋めるフローティング配線２１ａをさらに備え、フローティング配線２１ａは行方向配線２１または列方向配線３１と同じ層に形成され、フローティング配線２１ａは行方向配線２１および列方向配線３１から絶縁されていることを特徴とする。
【００７１】
従って、行方向配線２１と列方向配線３１が、行方向配線２１のより配線幅の小さい第２部分Ｅ２において交差し、かつ、列方向配線３１の配線幅Ｗｃが行方向配線２１の第２部分Ｅ２の行方向の長さＭ２よりも小さいため、行方向配線２１と列方向配線３１の間には平面視で間隙が形成される。よって、行方向配線２１と列方向配線３１の間の配線間容量が低減される。また、列方向配線３１の配線幅Ｗｃを、行方向配線２１の第２部分Ｅ２の行方向の長さＭ２よりも小さくすることにより、列方向配線３１の配線幅Ｗｃがより細くなるため、列方向配線３１のノイズ受信面積が低減される。よって、透明基板１０をタッチした際の配線間容量の変化量を増大させることが可能である。以上より、上述の間隙を設けない場合と比較して、タッチ検出感度を高めることができる。さらに、本実施の形態では、上述の間隙に、周囲と絶縁されたフローティング配線２１ａを設けたため、視認性を低下させることなく、タッチ検出感度向上の効果を得ることが可能である。
【００７２】
また、本実施の形態におけるタッチスクリーン１において、フローティング配線２１ａは、フローティング配線２１ａを分断する断線部２１ｂを備え、断線部２１ｂは、フローティング配線２１ａの長手方向に延びて形成されることを特徴とする。
【００７３】
従って、フローティング配線２１ａに断線部２１ｂを設けてフローティング配線２１ａを分断することにより、行方向配線２１と列方向配線３１間の配線間容量をより低減させることが可能であるため、さらにタッチ検出感度を高めることができる。特に、断線部２１ｂを、フローティング配線２１ａの長手方向に延びて形成することによって、効果的に配線間容量を低減させることが可能である。
【００７４】
また、本実施の形態におけるタッチスクリーン１において、前記フローティング配線２１ａは、周囲の配線から分断されることにより絶縁されており、分断されている部分（即ち断線部２１ｃ）および断線部２１ｂを平面視で埋める断線部配線３２をさらに備え、断線部配線３２は、前記フローティング配線２１ａが形成されていない層に形成されることを特徴とする。
【００７５】
従って、断線部２１ｂ，２１ｃを平面視で埋める断線部配線３２を設けることにより、外光の反射率が均一化されるため、断線部２１ｂ，２１ｃが視認されることを抑制することが可能である。
【００７６】
また、本実施の形態におけるタッチスクリーン１において、行方向配線２１のメッシュと列方向配線３１のメッシュが、平面視で相補的にずれて配置されることを特徴とする。
【００７７】
従って、行方向配線２１と列方向配線３１が平面視で重なる領域において、行方向配線２１のメッシュと列方向配線３１のメッシュを、平面視で相補的にずれて配置することによって、外光の反射率が均一化されるため、行方向配線２１と列方向配線３１の交差部分が視認されることを抑制することが可能である。
【００７８】
また、本実施の形態におけるタッチスクリーン１によれば、行方向配線２１の一部に、周囲の配線と絶縁されたフローティング配線２１ａを設けることにより、視認性を低下させることなく、行方向配線２１と列方向配線３１の間に、透明基板１０の厚さに対してタッチ検出に最適な間隔を設けることができる。
【００７９】
また、本実施の形態におけるタッチスクリーン１において、メッシュ状の配線は、単位パターンの繰り返しで構成されることを特徴とする。従って、フローティング配線２１ａは、行方向配線２１および列方向配線３１と同じ単位パターンの繰り返しで構成されるため、フローティング配線２１ａが設けられる領域が視認されることを抑制することが可能である。
【００８０】
＜実施の形態２＞
＜構成＞
実施の形態１では、行方向配線２１もしくは列方向配線３１が形成される領域において、これらの配線が平面視で重なる領域を除いて、行方向配線２１または列方向配線３１のどちらかが配置されていた。
【００８１】
よって、行方向配線２１と列方向配線３１とでは、配線が形成される層の深さが異なるため、行方向配線２１と列方向配線３１とでは反射率が異なり、配線が視認されやすかった。
【００８２】
本実施の形態では、行方向配線２１の上層の上部電極３０に行方向ダミー配線３３をさらに配置し、かつ、列方向配線３１の下層の下部電極に列方向ダミー配線２２をさらに配置する。
【００８３】
さらに、本実施の形態におけるタッチスクリーンは、行方向配線２１のメッシュと、行方向ダミー配線３３のメッシュが相補的にずれて重なることを特徴とする。また、本実施の形態におけるタッチスクリーンは、列方向配線３１のメッシュと、列方向ダミー配線２２のメッシュが相補的にずれて重なることを特徴とする。
【００８４】
このような構成とすることで、行方向配線２１と列方向配線３１との外光の反射率の違いを軽減して、反射率を均一化することが可能である。
【００８５】
図１１〜１５を用いて、本実施の形態におけるタッチスクリーンの行方向配線２１および列方向配線３１の詳細な構造を説明する。
【００８６】
図１１は、行方向配線２１と列方向配線３１が平面視で重なる領域周辺における下部電極２０の平面図である。下部電極２０は、行方向配線２１、フローティング配線２１ａおよび列方向ダミー配線２２から構成される。列方向ダミー配線２２は、平面視で、列方向配線３１と重なる領域に形成されている。フローティング配線２１ａについては、実施の形態１と同様なため、説明を省略する。
【００８７】
行方向配線２１および列方向ダミー配線２２のメッシュ間隔は、実施の形態１の２倍であるとする。つまり、列方向間隔Ｐ３と行方間隔Ｐ４は、それぞれ、図３におけるＰ１、Ｐ２の２倍である。行方向配線２１、フローティング配線２１ａ、列方向ダミー配線２２は、断線部２１ｃにより相互に断線されている。
【００８８】
図１２は、図１１における領域Ｂの拡大図である。図１１における破線は、列方向配線３１の配置を示す。図１２において、断線部２１ｂ，２１ｃの各々には、後述する行方向ダミー配線３３の断線部３３ａの間隔を平面視で埋めるように、導線が形成されている。
【００８９】
図１３は、行方向配線２１と列方向配線３１が平面視で重なる領域周辺における上部電極３０の平面図である。上部電極３０は、列方向配線３１と行方向ダミー配線３３とから構成される。
【００９０】
行方向ダミー配線３３は、平面視で、行方向配線２１およびフローティング配線２１ａと重なる領域に形成されている。列方向配線３１と行方向ダミー配線３３とは、断線部３３ａにより断線されている。また、行方向ダミー配線３３には、下部電極２０の断線部２１ｂ，２１ｃに対応する位置に、断線部３３ａが設けられている。
【００９１】
列方向配線３１および行方向ダミー配線３３のメッシュ間隔は、実施の形態１の２倍であるとする。つまり、列方向間隔Ｐ３と行方間隔Ｐ４は、それぞれ、図５におけるＰ１、Ｐ２の２倍である。列方向配線３１と行方向ダミー配線３３は、断線部３３ａにより断線されている。
【００９２】
図１４は、図１３における領域Ｃの拡大図である。図１３における破線は、行方向配線２１の配置を示す。図１３において、断線部３３ａの各々には、行方向配線２１の断線部２１ｂ，２１ｃの間隔を平面視で埋めるように、導線が形成されている。
【００９３】
図１５に、下部電極２０および上部電極３０の平面図を示す。図１５に示すように、下部電極２０に形成される行方向配線２１の上層の上部電極３０には、行方向ダミー配線３３が形成されている。また、上部電極３０に形成される列方向配線３１の下層の下部電極２０には、列方向ダミー配線２２が形成される。なお、図１５において、図の見易さのために、断線部３３ａは図示していない。
【００９４】
また、行方向配線２１のメッシュと、行方向ダミー配線３３のメッシュは、相補的にずれて重なるように配置されている。同様に、列方向配線３１のメッシュと、列方向ダミー配線２２のメッシュは、相補的にずれて重なるように配置されている。
【００９５】
以上の構成とすることによって、行方向配線２１の領域と、列方向配線３１の領域における反射率が均一化されるため、行方向配線２１の領域および列方向配線３１が視認されることを抑制することができる。
【００９６】
また、本実施の形態においては、図１２および図１４に示したように、断線部３３ａの断線間隔を埋めるように、断線部２１ｂ，２１ｃに導線を配置し、かつ、断線部２１ｂ，２１ｃの断線間隔を埋めるように、断線部３３ａに導線を配置した。
【００９７】
このような構成とすることで、タッチスクリーンを表示装置前面に装着した場合に、表示光が断線部２１ｂ，２１ｃ，３３ａを通過することを防止することができるため、断線部２１ｂ，２１ｃ，３３ａが視認されにくくなり好ましい。
【００９８】
なお、本実施の形態では、実施の形態１と同じく、行方向配線２１および列方向配線３１のメッシュを構成する導線の幅は３μｍであり、断線部２１ｂ，２１ｃ，３３ａの断線間隔は１０μｍである。また、透明基板１０の厚みは０．９ｍｍであり、フローティング配線２１ａの行方向の幅Ｌは８００μｍである。また、図１１および図１３におけるメッシュ間隔Ｐ３、Ｐ４は４００μｍであり、図１５におけるメッシュ間隔Ｐ１、Ｐ２は２００μｍである。
【００９９】
本発明の効果を確認するために、本実施の形態におけるタッチスクリーンと、実施の形態１におけるタッチスクリーンを作製し、それぞれに相互容量型の検出回路を装着して、指によるタッチ検出を行った。本実施の形態におけるタッチスクリーンでも、実施の形態１におけるタッチスクリーンと同じく、タッチ位置の位置座標を正確に検出することができた。
【０１００】
また、視認性を確認するために、室内照度１０００ｌｕｘの下で実施の形態におけるタッチスクリーンと、実施の形態１におけるタッチスクリーンと目視したところ、実施の形態１におけるタッチスクリーンでは、下部電極２０と上部電極３０が目視されたが、本実施の形態におけるタッチスクリーンではそれらが目視されなかった。
【０１０１】
＜効果＞
本実施の形態におけるタッチスクリーンにおいて、フローティング配線２１ａは行方向配線２１と同じ層に形成され、タッチスクリーンは、平面視で列方向配線３１と同じ領域内に、行方向配線２１と同じ層に形成されるメッシュ状の列方向ダミー配線２２と、平面視で行方向配線２１と同じ領域内に、列方向配線３１と同じ層に形成されるメッシュ状の行方向ダミー配線３３とをさらに備え、列方向配線３１のメッシュと列方向ダミー配線のメッシュ２２が、平面視で相補的にずれて配置され、行方向配線２１のメッシュと行方向ダミー配線３３のメッシュが、平面視で相補的にずれて配置されることを特徴とする。
【０１０２】
従って、行方向配線２１およびフローティング配線２１ａの上層に行方向ダミー配線３３を設け、列方向配線３１の下層に列方向ダミー配線２２を設け、かつ上下層の配線のメッシュを平面視で相補的にずれて配置することによって、行方向配線２１と列方向配線３１との外光の反射率の違いを軽減して、反射率を均一化することが可能である。
【０１０３】
よって、実施の形態１で述べた効果に加えて、外光の反射率が均一化されるため、行方向配線２１および列方向配線３１が視認されることを抑制することが可能である。
【０１０４】
＜実施の形態３＞
＜構成＞
本実施の形態におけるタッチスクリーンの下部電極２０および上部電極３０の構成は、実施の形態２（図１５）における配線の単位パターンを、円弧状とした点が異なる。
【０１０５】
図１６に、本実施の形態における行方向配線２１、列方向配線３１、行方向ダミー配線３３および列方向ダミー配線２２に共通する単位パターンを示す。
【０１０６】
本実施の形態における配線の単位パターンは、互いに交差するＳ字状の配線と、Ｓ字状の配線の交差点を中心とした円状の配線により構成される。Ｓ字状の配線を構成する円弧の半径はｒであり、円状の配線の半径はＲである。
【０１０７】
なお、単位パターンの行方向の間隔Ｐ１および列方向の間隔Ｐ２を２００μｍとした。また、円弧の半径ｒを１００μｍ、円状の配線の半径Ｒを８０μｍとした。
【０１０８】
図１７に、行方向配線２１と列方向配線３１が平面視で重なる領域周辺における下部電極２０の平面図を示す。図１７は、図１１の配線の単位パターンを、図１６に示した円弧状の単位パターンで置き換えたものである。
【０１０９】
断線部２１ｃによって、行方向配線２１、フローティング配線２１ａ、列方向ダミー配線２２のそれぞれの領域が分離されて、断線されている。また、各フローティング配線２１ａは、３本の断線部２１ｂによって、長手方向、即ち列方向に分離されて断線されている。それ以外の構成は図１１と同じであるため、説明を省略する。また、図１８は、図１７における領域Ｄの拡大図である。
【０１１０】
図１９に、行方向配線２１と列方向配線３１が平面視で重なる領域周辺における上部電極３０の平面図を示す。図１９は、図１３のメッシュ状の配線の単位パターンを、図１６に示した円弧状の単位パターンで置き換えたものである。それ以外の構成は図１３と同じであるため、説明を省略する。また、図２０は、図１９における領域Ｅの拡大図である。
【０１１１】
図２１に、行方向配線２１と列方向配線３１が平面視で重なる領域周辺における下部電極２０と上部電極３０の平面図を示す。なお、図２１において、図の見易さのために断線部３３ａは省略されている。図２１は、図１５において、配線の単位パターンを、図１６の単位パターンに置き代えたものである。また、図１５では、フローティング配線２１ａを列方向に分断する断線部２１bは１本であったが、図２１では３本である。それ以外の構成は図１５と同じであるため、説明を省略する。
【０１１２】
なお、本実施の形態において、配線を構成する導線の幅は３μｍ、断線部２１ｂ，２１ｃ，３３ａの断線幅は、１０μｍである。
【０１１３】
なお、本実施の形態において、単位パターンのＳ字状配線を、行方向に対して４５°傾いた方向および行方向に対して反対方向に４５°傾いた方向に延びるように設けたが、行方向および列方向に延びるように設けても良い。
【０１１４】
本発明の効果を確認するために、本実施の形態におけるタッチスクリーンと、実施の形態２におけるタッチスクリーンを作製し、それぞれに相互容量型の検出回路を装着して、指によるタッチ検出を行った。本実施の形態におけるタッチスクリーンでも、実施の形態２におけるタッチスクリーンと同じく、タッチ位置の位置座標を正確に検出することができた。
【０１１５】
また、タッチスクリーンの視認性を確認するために、照度８００００ｌｕｘの直射日光下で、本実施の形態におけるタッチスクリーンと、実施の形態２におけるタッチスクリーンを目視したところ、本実施の形態におけるタッチスクリーンは、配線の反射光によるギラツキがより軽減されていた。これは、配線の単位パターンを円弧状としたことで、様々な方向に反射光が反射されるためである。
【０１１６】
＜効果＞
本実施の形態におけるタッチスクリーンにおいて、メッシュ状の配線の単位パターンは、少なくとも一部に円弧状の配線を含むことを特徴とする。
【０１１７】
従って、実施の形態２で述べた効果に加えて、単位パターンの一部を円弧状の配線にすることによって、単位パターンが直線状である場合と比較して、様々な方向に外光を散乱させることができるため、外光の反射によるギラツキを抑制することが可能である。
【０１１８】
また、本実施の形態におけるタッチスクリーンにおいて、メッシュ状の配線は、単位パターンで構成され、当該単位パターンは、全ての配線が円弧状の配線により形成されることを特徴とする。
【０１１９】
従って、全ての配線を円弧状とすることによって、より効果的に、様々な方向に外光を散乱させることができるため、外光の反射によるギラツキをより抑制することが可能である。
【０１２０】
また、本実施の形態におけるタッチスクリーンにおいて、メッシュ状の配線は、単位パターンで構成され、当該単位パターンは、互いに交差するＳ字状の配線と、当該Ｓ字状配線の交差点を中心とした円状の配線とを備えることを特徴とする。
【０１２１】
従って、円状の配線によって、さらに効果的に、様々な方向に外光を散乱させることができるため、外光の反射によるギラツキをさらに抑制することが可能である。
【０１２２】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１２３】
１  タッチスクリーン、８  端子、１０  透明基板、１１  層間絶縁膜、１２  保護膜、２０  下部電極、２１  行方向配線、２１ａ  フローティング配線、２１ｂ，２１ｃ、３３ａ  断線部、２２  列方向ダミー配線、断線部、２２  列方向ダミー配線、３０  上部電極、３１  列方向配線、３２  断線部配線、３３  行方向ダミー配線、４０  ダミー引き出し配線、Ｅ１  第１部分、Ｅ２  第２部分、Ｗ１，Ｗ２，Ｗｃ  配線幅、Ｍ２  行方向の長さ。
【図１】
2014050306.tif 000003
【図２】
2014050306.tif 000004
【図７】
2014050306.tif 000005
【図９】
2014050306.tif 000006
【図１０】
2014050306.tif 000007
【図１６】
2014050306.tif 000008
【図３】
2014050306.tif 000009
【図４】
2014050306.tif 000010
【図５】
2014050306.tif 000011
【図６】
2014050306.tif 000012
【図８】
2014050306.tif 000013
【図１１】
2014050306.tif 000014
【図１２】
2014050306.tif 000015
【図１３】
2014050306.tif 000016
【図１４】
2014050306.tif 000017
【図１５】
2014050306.tif 000018
【図１７】
2014050306.tif 000019
【図１８】
2014050306.tif 000020
【図１９】
2014050306.tif 000021
【図２０】
2014050306.tif 000022
【図２１】
2014050306.tif 000023
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
行方向配線を含む第１の層と列方向配線を含む第２の層とを備えるメッシュ状の配線パターンで覆われたタッチスクリーンであって、
前記行方向配線と前記列方向配線の交差部分において、平面視で前記行方向配線と前記列方向配線との間に形成されたメッシュ状のフローティング配線を備え、
前記フローティング配線は前記第１の層に形成され、
前記フローティング配線は前記行方向配線および前記列方向配線から絶縁され、
平面視で前記列方向配線と同じ領域において、前記第１の層に形成されるメッシュ状の列方向ダミー配線と、
平面視で前記行方向配線および前記フローティング配線と同じ領域において、前記第２の層に形成されるメッシュ状の行方向ダミー配線と、
をさらに備え、
前記行方向配線のメッシュと前記列方向配線のメッシュが、平面視でずれて配置され、
前記列方向配線のメッシュと前記列方向ダミー配線のメッシュが、平面視でずれて配置され、
前記行方向配線のメッシュと前記行方向ダミー配線のメッシュが、平面視でずれて配置され、
前記フローティング配線のメッシュと前記行方向ダミー配線のメッシュが、平面視でずれて配置される、
タッチスクリーン。
【請求項２】
前記行方向配線は、第１部分と、当該第１部分の配線幅よりも配線幅が小さい第２部分とから構成され、
前記列方向配線の配線幅は、前記行方向配線の前記第２部分の行方向の長さよりも小さく、
前記行方向配線と前記列方向配線は、前記行方向配線の前記第２部分において交差している、
請求項１に記載のタッチスクリーン。
【請求項３】
前記フローティング配線は、前記フローティング配線を分断する断線部を備え、
前記断線部は、前記フローティング配線の長手方向に延びて形成されることを特徴とする、
請求項１に記載のタッチスクリーン。
【請求項４】
前記フローティング配線は、周囲の配線から分断されることにより絶縁されており、
前記分断されている部分および前記断線部を平面視で埋める断線部配線をさらに備え、
前記断線部配線は、前記第２の層に形成されることを特徴とする、
請求項３に記載のタッチスクリーン。
【請求項５】
前記メッシュ状の配線パターンは、単位パターンの繰り返しで構成されることを特徴とする、
請求項１に記載のタッチスクリーン。
【請求項６】
前記単位パターンは、少なくとも一部に円弧状の配線を含むことを特徴とする、
請求項５に記載のタッチスクリーン。
【請求項７】
前記単位パターンは、全ての配線が円弧状の配線により形成されることを特徴とする、
請求項５に記載のタッチスクリーン。
【請求項８】
前記単位パターンは、互いに交差するＳ字状の配線と、前記Ｓ字状配線の交差点を中心とした円状の配線と、を備えることを特徴とする、
請求項５に記載のタッチスクリーン。
【手続補正２】
【補正対象書類名】明細書
【補正対象項目名】００１２
【補正方法】変更
【補正の内容】
【００１２】
本発明に係るタッチスクリーンは、行方向配線を含む第１の層と列方向配線を含む第２の層とを備えるメッシュ状の配線パターンで覆われたタッチスクリーンであって、
前記行方向配線と前記列方向配線の交差部分において、平面視で前記行方向配線と前記列方向配線との間に形成されたメッシュ状のフローティング配線を備え、フローティング配線は第１の層に形成され、フローティング配線は行方向配線および列方向配線から絶縁され、平面視で列方向配線と同じ領域において、第１の層に形成されるメッシュ状の列方向ダミー配線と、平面視で行方向配線およびフローティング配線と同じ領域において、前記第２の層に形成されるメッシュ状の行方向ダミー配線と、
をさらに備え、行方向配線のメッシュと列方向配線のメッシュが、平面視でずれて配置され、列方向配線のメッシュと列方向ダミー配線のメッシュが、平面視でずれて配置され、行方向配線のメッシュと行方向ダミー配線のメッシュが、平面視でずれて配置され、フローティング配線のメッシュと行方向ダミー配線のメッシュが、平面視でずれて配置される。
【手続補正３】
【補正対象書類名】明細書
【補正対象項目名】００４０
【補正方法】変更
【補正の内容】
【００４０】
そして、図３で説明した行方向配線２１と、図５で説明した列方向配線３１とは、行方向配線２１の第２部分Ｅ２の中央付近において交差する（図６）。さらに、列方向配線３１の配線幅Ｗｃは、行方向配線２１の第２部分Ｅ２の行方向の長さＭ２よりも小さい。図６に示すように、行方向配線２１と列方向配線３１の交差部分において、行方向配線２１と列方向配線３１との間には、行方向の幅Ｌの間隙が形成される。この間隙にフローティング配線２１ａが形成される。
【手続補正４】
【補正対象書類名】明細書
【補正対象項目名】００４５
【補正方法】変更
【補正の内容】
【００４５】
ここで、本実施の形態におけるタッチスクリーンに相互容量検出方式を適用する場合、例えば、行方向配線２１を駆動電極、列方向配線３１を受信電極として、行方向配線２１と列方向配線３１の配線間容量（相互容量）を電荷量として検出する。
【手続補正５】
【補正対象書類名】明細書
【補正対象項目名】００５０
【補正方法】変更
【補正の内容】
【００５０】
このため、上部電極３０に備わる列方向配線３１全体を、下部電極２０に備わる行方向配線２１で覆うことができず、列方向配線３１が表示パネルに対して露出する部分が大きくなる。従って、表示パネルと列方向配線３１との結合容量を抑制して検出Ｓ／Ｎ比を向上させるためには、列方向配線３１の表示パネルに対する露出面積（表示パネルからのノイズ受信面積）を減らせばよい。これは、例えば、列方向配線３１の配線幅Ｗｃをより小さくすることで実現できる。
【手続補正６】
【補正対象書類名】明細書
【補正対象項目名】００７０
【補正方法】変更
【補正の内容】
【００７０】
＜効果＞
本実施の形態におけるタッチスクリーン１は、行方向配線２１と列方向配線３１を含む上下２層からなるメッシュ状の配線パターンで覆われたタッチスクリーン１であって、行方向配線２１は、第１部分Ｅ１と、当該第１部分Ｅ１の配線幅Ｗ１よりも配線幅Ｗ２が小さい第２部分Ｅ２とから構成され、列方向配線３１の配線幅Ｗｃは、行方向配線２１の第２部分Ｅ２の行方向の長さＭ２よりも小さく、行方向配線２１と列方向配線３１は、行方向配線２１の第２部分Ｅ２において交差しており、行方向配線２１と列方向配線３１の交差部分において、行方向配線２１と列方向配線３１との間には平面視で間隙が形成されることを特徴とし、当該間隙を平面視で埋めるフローティング配線２１ａをさらに備え、フローティング配線２１ａは行方向配線２１または列方向配線３１と同じ層に形成され、フローティング配線２１ａは行方向配線２１および列方向配線３１から絶縁されていることを特徴とする。
【手続補正７】
【補正対象書類名】明細書
【補正対象項目名】００９２
【補正方法】変更
【補正の内容】
【００９２】
図１４は、図１３における領域Ｃの拡大図である。図１４における破線は、行方向配線２１の配置を示す。図１４において、断線部３３ａの各々には、行方向配線２１の断線部２１ｂ，２１ｃの間隔を平面視で埋めるように、導線が形成されている。
【手続補正８】
【補正対象書類名】明細書
【補正対象項目名】０１０１
【補正方法】変更
【補正の内容】
【０１０１】
＜効果＞
本実施の形態におけるタッチスクリーンにおいて、フローティング配線２１ａは行方向配線２１と同じ層に形成され、タッチスクリーンは、平面視で列方向配線３１と同じ領域内に、行方向配線２１と同じ層に形成されるメッシュ状の列方向ダミー配線２２と、平面視で行方向配線２１と同じ領域内に、列方向配線３１と同じ層に形成されるメッシュ状の行方向ダミー配線３３とをさらに備え、列方向配線３１のメッシュと列方向ダミー配線２２のメッシュが、平面視で相補的にずれて配置され、行方向配線２１のメッシュと行方向ダミー配線３３のメッシュが、平面視で相補的にずれて配置されることを特徴とする。
【手続補正９】
【補正対象書類名】明細書
【補正対象項目名】０１２３
【補正方法】変更
【補正の内容】
【０１２３】
１  タッチスクリーン、８  端子、１０  透明基板、１１  層間絶縁膜、１２  保護膜、２０  下部電極、２１  行方向配線、２１ａ  フローティング配線、２１ｂ，２１ｃ、３３ａ  断線部、２２  列方向ダミー配線、３０  上部電極、３１  列方向配線、３２  断線部配線、３３  行方向ダミー配線、４０  ダミー引き出し配線、Ｅ１  第１部分、Ｅ２  第２部分、Ｗ１，Ｗ２，Ｗｃ  配線幅、Ｍ２  行方向の長さ。
【手続補正書】
【提出日】平成27年11月26日(2015.11.26)
【手続補正１】
【補正対象書類名】特許請求の範囲
【補正対象項目名】請求項１
【補正方法】変更
【補正の内容】
【請求項１】
行方向配線を含む第１の層と列方向配線を含む第２の層とを備えるメッシュ状の配線パターンで覆われたタッチスクリーンであって、
前記行方向配線と前記列方向配線の交差部分において、平面視で前記行方向配線と前記列方向配線との間に形成されたメッシュ状のフローティング配線を備え、
前記フローティング配線は前記第１の層に形成され、
前記フローティング配線は前記行方向配線および前記列方向配線から絶縁され、
平面視で前記列方向配線と同じ領域において、前記第１の層に形成されるメッシュ状の列方向ダミー配線と、
平面視で前記行方向配線および前記フローティング配線と同じ領域において、前記第２の層に形成されるメッシュ状の行方向ダミー配線と、
をさらに備え、
前記行方向配線のメッシュ、前記列方向配線のメッシュ、前記列方向ダミー配線のメッシュ、前記行方向ダミー配線のメッシュ、および前記フローティング配線のメッシュの行方向のメッシュ幅は互いに等しく、
前記行方向配線のメッシュ、前記列方向配線のメッシュ、前記列方向ダミー配線のメッシュ、前記行方向ダミー配線のメッシュ、および前記フローティング配線のメッシュの列方向のメッシュ幅は互いに等しく、
前記行方向配線のメッシュと前記列方向配線のメッシュが、行方向および列方向にメッシュ幅の半分だけ互いに平面視でずれて配置され、
前記列方向配線のメッシュと前記列方向ダミー配線のメッシュが、行方向および列方向にメッシュ幅の半分だけ互いに平面視でずれて配置され、
前記行方向配線のメッシュと前記行方向ダミー配線のメッシュが、行方向および列方向にメッシュ幅の半分だけ互いに平面視でずれて配置され、
前記フローティング配線のメッシュと前記行方向ダミー配線のメッシュが、行方向および列方向にメッシュ幅の半分だけ互いに平面視でずれて配置される、
タッチスクリーン。
【手続補正２】
【補正対象書類名】明細書
【補正対象項目名】００１２
【補正方法】変更
【補正の内容】
【００１２】
本発明に係るタッチスクリーンは、行方向配線を含む第１の層と列方向配線を含む第２の層とを備えるメッシュ状の配線パターンで覆われたタッチスクリーンであって、前記行方向配線と前記列方向配線の交差部分において、平面視で前記行方向配線と前記列方向配線との間に形成されたメッシュ状のフローティング配線を備え、フローティング配線は第１の層に形成され、フローティング配線は行方向配線および列方向配線から絶縁され、平面視で列方向配線と同じ領域において、第１の層に形成されるメッシュ状の列方向ダミー配線と、平面視で行方向配線およびフローティング配線と同じ領域において、前記第２の層に形成されるメッシュ状の行方向ダミー配線と、をさらに備え、行方向配線のメッシュ、列方向配線のメッシュ、列方向ダミー配線のメッシュ、行方向ダミー配線のメッシュ、およびフローティング配線のメッシュの行方向のメッシュ幅は互いに等しく、行方向配線のメッシュ、列方向配線のメッシュ、列方向ダミー配線のメッシュ、行方向ダミー配線のメッシュ、およびフローティング配線のメッシュの列方向のメッシュ幅は互いに等しく、行方向配線のメッシュと前記列方向配線のメッシュが、行方向および列方向にメッシュ幅の半分だけ互いに平面視でずれて配置され、列方向配線のメッシュと列方向ダミー配線のメッシュが、行方向および列方向にメッシュ幅の半分だけ互いに平面視でずれて配置され、行方向配線のメッシュと行方向ダミー配線のメッシュが、行方向および列方向にメッシュ幅の半分だけ互いに平面視でずれて配置され、フローティング配線のメッシュと行方向ダミー配線のメッシュが、行方向および列方向にメッシュ幅の半分だけ互いに平面視でずれて配置される。
【国際調査報告】
2014050306.tif 000024
2014050306.tif 000025